(57)【要約】【課題】リニアアンテナアレイを含む広帯域全地球衛星航法システムの基準アンテナを提供する。【解決手段】リニアアンテナアレイは、長手方向軸を有する中空支持マスト、および支持マストに沿って等間隔に位置する複数のアンテナ素子ベイを備える。アンテナ素子ベイのそれぞれは、支持マストの長手方向軸に直交して配置されたストリップ線路励振回路板、および支持マストの周りに対称に配置され、励振回路板に電気的に接続された一組の放射素子を備える。サスペンデッド線路回路は、支持マストを貫通して延在し、アンテナ素子ベイのそれぞれの励振回路板に電気的に接続されて、励振供給信号を放射素子のそれぞれに供給する。【選択図】図１
2015136108.tif 000002
【特許請求の範囲】
【請求項１】
長手方向軸を有する中空支持マストと、
前記支持マストに沿って等間隔に位置する複数のアンテナ素子ベイであって、アンテナ素子ベイのそれぞれが、
前記支持マストの前記長手方向軸に直交して配置されたストリップ線路励振回路板と、
前記支持マストの周りに対称に配置され、前記励振回路板に電気的に接続された一組の放射素子と
を備える、アンテナ素子ベイと、
前記支持マストを貫通して延在し、前記アンテナ素子ベイのそれぞれの前記励振回路板に電気的に接続されて、励振供給信号を前記放射素子のそれぞれに供給するサスペンデッド線路回路と
を備えるリニアアンテナアレイ。
【請求項２】
前記放射素子のそれぞれが、前記支持マストの前記長手方向軸に整列した一対の広帯域放射円板を含み、前記励振回路板が、前記放射素子用の一体化された給電網を提供する多層プリント回路板を備え、前記放射素子が前記励振回路板によって画定される平面に対して直角をなすように、前記放射素子の中央部が、前記素子ベイのそれぞれの対応する前記励振回路板の縁に鉛直に取り付けられる、請求項１に記載のリニアアンテナアレイ。
【請求項３】
中空支持マストを提供するステップと、
ストリップ線路励振回路板、および前記励振回路板に電気的に接続された一組の放射素子をそれぞれが備える複数のアンテナ素子ベイを提供するステップと、
前記複数のアンテナ素子ベイを、前記支持マストに沿って等間隔に配置するステップと、
１つまたは複数の前記素子ベイを９０°の増分で前記支持マストの周りに回転させて、前記放射素子のそれぞれに対して等価励振位相を調節するステップと、
前記素子ベイのそれぞれの前記励振回路板を、前記支持マストを貫通して延在するサスペンデッド線路回路に電気的に接続して励振供給信号を前記放射素子のそれぞれに供給するステップと
を備えるリニアアンテナアレイを製造する方法。
【発明の詳細な説明】
【背景技術】
【０００１】
[0001]ディファレンシャル全地球位置把握システム（Ｄ−ＧＰＳ：Ｄｉｆｆｅｒｅｎｔｉａｌ  Ｇｌｏｂａｌ  Ｐｏｓｉｔｉｏｎｉｎｇ  Ｓｙｓｔｅｍ）は、ＧＰＳ受信機の能力を強化して、精度を数メートルから数センチメートルへ大きく改善させる。地上基準局はＤ−ＧＰＳシステムに含まれて、ＧＰＳ衛星信号処理によって示される位置と基準局の既知の固定位置との間の疑似距離差をブロードキャストする。次いで、ＧＰＳ受信機はその疑似距離を同じ量だけ補正するためにブロードキャストされたデータを使用することができる。
【０００２】
[0002]ＧＰＳシステムの測位精度は様々な要因に影響される。そのような要因の１つは、受信アンテナは理想的には直接経路のＧＰＳ信号のみを受信し、ほとんどが大地反射干渉に起因する望ましくない信号をすべてフィルタで除去すべきである、ということである。
【０００３】
[0003]Ｄ−ＧＰＳシステムは一般に、右旋円偏波（ＲＨＣＰ：ｒｉｇｈｔ  ｈａｎｄ  ｃｉｒｃｕｌａｒ  ｐｏｌａｒｉｚａｔｉｏｎ）および左旋円偏波（ＬＨＣＰ：ｌｅｆｔ  ｈａｎｄ  ｃｉｒｃｕｌａｒ  ｐｏｌａｒｉｚａｔｉｏｎ）両方の利得パターンのバック／サイドローブのより良い抑制を必要とする。この問題に対処するために、放射アンテナ素子が疎に配された基準アンテナが開発されている。１つの手法では、アンテナ性能を改善するために、給電回路に接続されていない無給電アンテナ素子が、給電回路に接続された２つの能動素子の間に挿入される。別の手法では、あるファクタが放射アンテナ素子間の間隔を調節するために用いられて、アンテナ性能をさらに改善する。
【発明の概要】
【０００４】
[0004]リニアアンテナアレイは、長手方向軸を有する中空支持マスト、および支持マストに沿って等間隔に位置する複数のアンテナ素子ベイを備える。アンテナ素子ベイのそれぞれは、支持マストの長手方向軸に直交して配置されたストリップ線路励振回路板、および支持マストの周りに対称に配置され、励振回路板に電気的に接続された一組の放射素子を備える。サスペンデッド線路回路は、支持マストを貫通して延在し、アンテナ素子ベイのそれぞれの励振回路板に電気的に接続されて、励振供給信号を放射素子のそれぞれに供給する。
【０００５】
[0005]本発明の特徴は、図面を参照する以下の説明から当業者には明らかになるであろう。図面は単に典型的な実施形態を表わし、したがって範囲を限定するとみなすべきでないことを理解して、本発明は、添付の図面を使ってさらなる専門性および詳細とともに説明される。
【図面の簡単な説明】
【０００６】
【図１】[0006]一実施形態によるリニアアンテナアレイの側面図である。
【図２】[0007]複数のアンテナ素子ベイを示す、図１のリニアアンテナアレイの一部分の拡大側面図である。
【図３】[0008]その上にハウジング構造を付けた図１のリニアアンテナアレイの側面図である。
【図４】[0009]図１のリニアアンテナアレイに実装することができる励振回路用のスタック構造の側面図である。
【図５】[0010]図４のスタック構造の励振回路レイアウトの上面図である。
【図６】[0011]図１のリニアアンテナアレイの放射素子に対する例示的な励振パラメータの線図である。
【図７】[0012]単一のアンテナ素子ベイを示す、図１のリニアアンテナアレイの一部分の拡大側面図である。
【図８】[0013]図８Ａは図７のアンテナ素子ベイの例示的な励振トポロジの概略図である。図８Ｂは図７のアンテナ素子ベイの例示的な励振トポロジの概略図である。
【図９】[0014]図１のリニアアンテナアレイで使用することができるサスペンデッド線路回路の斜視図である。
【図１０Ａ】[0015]図１のリニアアンテナアレイの一部分の側面図である。
【図１０Ｂ】[0016]図１のリニアアンテナアレイの一部分の斜視図である。
【図１１】[0017]図１１Ａは複数の素子ベイを有する例示的なリニアアンテナアレイの４つの放射素子のそれぞれの位相を示す概略図である。[0018] 図１１Ｂは例示的なリニアアンテナアレイの素子ベイを９０°の増分で回転させることができることを表わす概略図である。
【図１２】[0019]図１のリニアアンテナアレイの励振構成部品間の接続部を示す図である。
【図１３】[0020]例示的なリニアアンテナアレイにおける、１つの周波数での信号利得パターンを示すグラフである。
【図１４】例示的なリニアアンテナアレイにおける、図１３とは異なる周波数での信号利得パターンを示すグラフである。
【発明を実施するための形態】
【０００７】
[0021]以下の詳細な説明では、実施形態は、当業者が本発明を実施することができるように十分詳細に記載される。本発明の範囲から逸脱せずに他の実施形態を使用することができることを理解されたい。したがって、以下の詳細な説明は、限定する意味で解釈されるべきではない。
【０００８】
[0022]リニアアンテナアレイを含む広帯域全地球衛星航法システム（ＧＮＳＳ：Ｇｌｏｂａｌ  Ｎａｖｉｇａｔｉｏｎ  Ｓａｔｅｌｌｉｔｅ  Ｓｙｓｔｅｍ）の基準アンテナが提供される。本ＧＮＳＳ基準アンテナは、地上基準局の高性能基準アンテナとしてディファレンシャルＧＰＳ（Ｄ−ＧＰＳ）システムで使用するのに特に適する。
【０００９】
[0023]本ＧＮＳＳ基準アンテナは、アンテナ放射パターンに広い帯域幅、シャープカットオフを与え、サイド／バックローブの抑制を強める。本基準アンテナは、標準的な製造技術を使って製作および組立が可能である。
【００１０】
[0024]図１〜３は、一実施形態によるリニアアンテナアレイ１００を示し、これは、Ｄ−ＧＰＳシステムなどの高性能ＧＮＳＳ基準アンテナとして用いることができる。リニアアンテナアレイ１００は、その長さに沿って長手方向軸を有する中空支持マスト１１０を含む。複数のアンテナ素子ベイ１２０は、支持マスト１１０の長さに沿ってそれぞれ等間隔に位置する。例えば、各素子ベイは、隣接の素子ベイから約λ／２の距離を置いて配置することができる。ここで、λは入力信号の波長を表わす。素子ベイ１２０のそれぞれはまた、支持マスト１１０の周りに対称に配置された一組の放射素子１２２を含む。放射素子１２２は、細長い楕円形を有することができる。
【００１１】
[0025]図２に示すように、素子ベイ１２０のそれぞれは、支持マスト１１０の長手方向軸に直交して配置された励振回路板１３０を備える。各素子ベイ１２０の放射素子１２２は、それぞれの励振回路板１３０に電気的に接続される。励振回路板１３０は、放射素子１２２用の一体化された給電網を提供する多層プリント回路板（ＰＣＢ：ｐｒｉｎｔｅｄ  ｃｉｒｃｕｉｔ  ｂｏａｒｄ）とすることができる。
【００１２】
[0026]放射素子１２２はそれぞれ、支持マスト１１０の長手方向軸に整列し、各素子ベイ１２０のそれぞれのストリップ線路励振回路板１３０によって励振される一対の広帯域放射円板１２４ａおよび１２４ｂを含む。放射素子１２２が励振回路板１３０によって画定される平面に対して直角をなすように、放射素子１２２は、各素子ベイ１２０の対応する励振回路板１３０の縁に鉛直に取り付けることができる。この構成では、各放射素子１２２の放射円板１２４ａは、励振回路板１３０によって画定される平面の上方に位置し、各放射素子１２２の放射円板１２４ｂは、励振回路板１３０によって画定される平面の下方に位置する。
【００１３】
[0027]一実施形態では、各素子ベイ１２０において、タブ１２６は、各放射素子１２２の中央部を励振回路板１３０に接続する。タブ１２６は、放射素子１２２と励振回路板１３０との間を電気的かつ機械的に接続する。
【００１４】
[0028]放射素子１２２の放射円板１２４ａ、１２４ｂの各対は、従来技術によってＰＣＢ上に円板を形成することによって製作することができる。例えば、銅の層を有するＰＣＢは、銅の層が放射円板の円形の形状に形成されるようにエッチングすることができ、次いで金でめっきすることができる。次いで、放射円板の対を有する放射素子は、金めっきしたＰＣＢを複数の細長い楕円形になるように切断することによって製造することができる。放射円板の対を円形に設計することによって、リニアアンテナアレイ１００は超広帯域（ＵＷＢ：ｕｌｔｒａ−ｗｉｄｅ  ｂａｎｄ）の用途に利用することができる。
【００１５】
[0029]一実施形態では、素子ベイ１２０のそれぞれは、支持マスト１１０の周りに等間隔に取り付けられた４つの放射素子１２２を含む。これにより、素子ベイ１２０のそれぞれは、合計で８つの放射円板に対して４対の放射円板１２４ａ、１２４ｂを有することになる。この構成では、各放射素子１２２は、別の放射素子から正反対に位置し、隣接の放射素子に対して約９０度の角度に配置される。
【００１６】
[0030]図１に示されているように、サスペンデッド線路回路１４０は、基部１４２から支持マスト１１０を貫通して延在する。サスペンデッド線路回路１４０は、素子ベイ１２０の励振回路板のそれぞれに電気的に接続されて、励振供給信号を放射素子１２２のそれぞれに供給する。この構成によって、素子ベイ１２０のそれぞれは、素子ベイの任意の２つを分離する寄生素子の介在なしに能動的に給電することができる。
【００１７】
[0031]避雷針１４４は、サスペンデッド線路回路１４０の遠位端から突出し、支持マスト１１０のキャップ１４６の上方に延在する。避雷針は、マイクロ波の接地にもなるサスペンデッド線路回路１４０の金属製バー構造に直接組み立てることができる。
【００１８】
[0032]リニアアンテナアレイ１００は、基部１４２を使って、直立位置で鉛直に据え付けることができる。これによって支持マスト１１０は、地平線に対して実質的に垂直方向にすることができる。この放射素子１２２の向きによって、リニアアレイパターンは、地平線の上方の比較的小さい角度でのシャープカットオフの信号パターンを有して、上半球をカバーする。
【００１９】
[0033]図３に示すように、筒状のハウジング構造１５０は、アンテナアレイ１００を外部の環境条件から保護するために用いることができる。筒状のハウジング構造１５０は、アンテナ素子ベイを取り囲み、キャップ１４６と基部１４２との間に結合する。筒状のハウジング構造１５０は、プラスチック材料などの無線周波数（ＲＦ：ｒａｄｉｏ  ｆｒｅｑｕｅｎｃｙ）信号を通す材料よりなる。
【００２０】
[0034]一実施形態では、各素子ベイ１２０の励振回路板１３０は、放射素子１２２のそれぞれの放射円板の励振回路に対して進行位相全方向性（ＰＰＯ：ｐｒｏｇｒｅｓｓｉｖｅ−ｐｈａｓｅ−ｏｍｎｉｄｉｒｅｃｔｉｏｎａｌ）励振網を提供する。この励振回路は、図４に示すように、ＰＣＢスタック構造２１０に実装することができる。スタック構造２１０は、最下層２１２、最下層２１２の上の第１のグランド層２１４、グランド層２１４の上の第２のグランド層２１６、およびグランド層２１６の上の最上層２１８を含む。
【００２１】
[0035]図５はスタック構造２１０のストリップ線路励振回路レイアウト２３０の上面図である。最上層２１８の回路レイアウトは実線２３２で示され、最下層２１２の回路レイアウトは破線２３４で示される。ＲＦ信号は、信号入力／出力インターフェースを提供するＲＦコネクタによって、最上層２１８の共通ポートを通って伝達することができる。２つの出力ポート間で９０°／０°の位相差を有する合計６つの二方向電力分配器２３６は、最下層２１２上に組み立てられる。放射素子の放射円板のそれぞれに対する例示的な励振パラメータは、図６の線図に示される。本図では、度で表わした各円板に対する規準化された位相は、０、−６０、−９０、−１５０、−１８０、−２４０、−２７０、および−３３０である。
【００２２】
[0036]図１のリニアアンテナアレイのアンテナ素子ベイの例示的な励振トポロジは図７および８Ａ〜８Ｂに示される。図７は、支持マスト１１０の周りに等間隔に取り付けられた４つの放射素子１２２−１、１２２−２、１２２−３、および１２２−４を含むアンテナ素子ベイ１２０を示す。４つの放射素子はそれぞれ、一対の広帯域放射円板１２４ａ−１、１２４ｂ−１；１２４ａ−２、１２４ｂ−２；１２４ａ−３、１２４ｂ−３；および１２４ａ−４、１２４ｂ−４を含む。放射円板１２４ａ−１〜１２４ａ−４は、励振回路板１３０によって画定される平面の上方に位置し、したがって、図８Ａの上部円板に対応する。放射円板１２４ｂ−１〜１２４ｂ−４は、励振回路板１３０によって画定される平面の下方に位置し、したがって、図８Ｂの下部円板に対応する。
【００２３】
[0037]図８Ａに示すように、上部円板１２４ａ−１は０°の位相を有し、上部円板１２４ａ−２は−９０°の位相を有し、上部円板１２４ａ−３は−１８０°の位相を有し、上部円板１２４ａ−４は−２７０°の位相を有する。これに対応して、図８Ｂに示すように、下部円板１２４ｂ−１は−Ａの位相を有し、下部円板１２４ｂ−２は−９０°−Ａの位相を有し、下部円板１２４ｂ−３は−１８０°−Ａの位相を有し、下部円板１２４ｂ−４は−２７０°−Ａの位相を有する。ここで、Ａは、例えば、６０°とすることができる。この例では、下部円板１２４ｂ−１は−６０°の位相を有し、下部円板１２４ｂ−２は−１５０°の位相を有し、下部円板１２４ｂ−３は−２４０°の位相を有し、下部円板１２４ｂ−４は−３３０°の位相を有する。
【００２４】
[0038]図１などに示す１７個の素子ベイを有する例示的なリニアアンテナアレイに対して予想される励振振幅および位相は表１に示される。
【００２５】
【表１】
2015136108.tif 000003
【００２６】
[0039]図９は、表１で示したアンテナ構成を実現するために給電構造として使用することができるサスペンデッド線路回路１４０をさらに詳しく示す。サスペンデッド線路回路１４０は、サスペンデッド線路回路１４０の長さに沿って積み重ね構成で延在する、空気誘電体を有する一対の細長い回路板２４２および２４４を含む。回路板２４４の下の導電層２４６は、マイクロ波の接地および雷用接地を与える。この実施形態では、避雷針１４４は導電層２４６に結合することができ、サスペンデッド線路回路１４０の遠位端から突出する。さらに、複数のＲＦコネクタは、各素子ベイのサスペンデッド線路回路１４０に沿って、各ノード２５０に結合することができる。
【００２７】
[0040]図１０Ａおよび１０Ｂは、リニアアンテナアレイ１００の組立体をさらに詳しく示す。図１０Ａおよび１０Ｂに示すように、支持マスト１１０のマスト部は、支持マスト１１０を貫通して延在するサスペンデッド線路回路１４０のノード２５０が見えるように取り外されている。少なくとも１つのねじ２５２は、アンテナアレイの機械的強度を高めるために、支持マスト１１０の各マスト部を、マスト部とノード２５０の表面との間のスペーサ構造体２５４を介して、サスペンデッド線路回路１４０に接続するために使用することができる。
【００２８】
[0041]さらに、リニアアンテナアレイ１００の組立中、各素子ベイ１２０は、等価励振位相を調節するために、９０°の間隔で回転させることができる。これによって、放射素子１２２の角位置が変わる。図１０Ｂに示すように、素子ベイ１２０を適切に回転させた後、各素子ベイの放射素子１２２の角位置は、励振回路板１３０をマスト１１０の支持板２６４間に結合する１つまたは複数のボルト２６２で固定することができる。
【００２９】
[0042]図１１Ａは、最上部のベイから最下部のベイまで１７個の素子ベイを有する例示的なリニアアンテナアレイの４つの放射素子のそれぞれの位相を示す概略図である。図１１Ｂは、各ベイが、等価励振位相を調節するために９０°の増分で回転させることができることを表わす概略図である。
【００３０】
[0043]図１２は、リニアアンテナアレイ１００の励振構成部品間の接続部を示す。ＲＦケーブルセット３１０が各素子ベイに用いられ、一対のＲＦコネクタ３１２および３１４を含む。ＲＦコネクタ３１２は励振回路板１３０に結合され、ＲＦコネクタ３１４はサスペンデッド線路回路１４０に結合される。短いＲＦケーブル３１６はＲＦコネクタ３１２と３１４との間に結合され、励振構成部品間の信号を通信する。
【００３１】
[0044]本リニアアンテナアレイは、作動中、広い帯域幅をカバーすることができる。例えば、リニアアンテナアレイは、約１．１５ＧＨｚから約１．５８ＧＨｚまでカバーするように構成することができる。
【００３２】
[0045]図１３のグラフは、１７個のベイを有するリニアアンテナアレイに対して、１．５７５ＧＨｚのＧＰＳ周波数における入射角に対する信号利得パターンを示す。右旋円偏波（ＲＨＣＰ）の利得パターンおよび左旋円偏波（ＬＨＣＰ）の利得パターンの両方が示されている。図１４のグラフは、１７個のベイを有するリニアアンテナアレイに対して、１．２２ＧＨｚのＧＰＳ周波数における信号利得パターンを示す。ここでも、ＲＨＣＰの利得パターンおよびＬＨＣＰの利得パターンの両方が示されている。
【００３３】
[0046]図１３および１４のグラフで示されるように、地平線の下方の地面（９０度と−９０度との間の範囲の外側）からの反射に対するアンテナ応答は実質的に最小化される。さらに、ＬＨＣＰ信号として地平線の上方から来る反射に対するアンテナ応答は、特にアンテナの真上（０度）から来るとき実質的に小さくなる。
【実施例１】
【００３４】
[0047]実施例１は、長手方向軸を有する中空支持マスト、および支持マストに沿って等間隔に位置する複数のアンテナ素子ベイを備えるリニアアンテナアレイを含む。アンテナ素子ベイのそれぞれは、支持マストの長手方向軸に直交して配置されたストリップ線路励振回路板、および支持マストの周りに対称に配置され、励振回路板に電気的に接続された一組の放射素子を備える。サスペンデッド線路回路は、支持マストを貫通して延在し、アンテナ素子ベイのそれぞれの励振回路板に電気的に接続されて、励振供給信号を放射素子のそれぞれに供給する。
【実施例２】
【００３５】
[0048]実施例２は、実施例１のリニアアンテナアレイを含み、アンテナ素子ベイのそれぞれは、隣接のアンテナ素子ベイから約λ／２の距離を置いて配置される。ここで、λは入力信号の波長を表わす。
【実施例３】
【００３６】
[0049]実施例３は、実施例１〜２のいずれかのリニアアンテナアレイを含み、放射素子のそれぞれは、支持マストの長手方向軸に整列した一対の広帯域放射円板を含む。
【実施例４】
【００３７】
[0050]実施例４は、実施例１〜３のいずれかのリニアアンテナアレイを含み、アンテナ素子ベイのそれぞれは４つの放射素子を含む。
【実施例５】
【００３８】
[0051]実施例５は、実施例４のリニアアンテナアレイを含み、４つの放射素子のそれぞれは、別の放射素子から正反対に配置され、隣接の放射素子に対して約９０度の角度に位置する。
【実施例６】
【００３９】
[0052]実施例６は、実施例１〜５のいずれかのリニアアンテナアレイを含み、放射素子は細長い楕円形を有する。
【実施例７】
【００４０】
[0053]実施例７は、実施例１〜６のいずれかのリニアアンテナアレイを含み、励振回路板は、放射素子用の一体化された給電網を提供する多層プリント回路板を備える。
【実施例８】
【００４１】
[0054]実施例８は、実施例７のリニアアンテナアレイを含み、一体化された給電網は進行位相全方向性励振網を備える。
【実施例９】
【００４２】
[0055]実施例９は、実施例１〜８のいずれかのリニアアンテナアレイを含み、放射素子が励振回路板によって画定される平面に対して直角をなすように、放射素子の中央部は、素子ベイのそれぞれの対応する励振回路板の縁に鉛直に取り付けられる。
【実施例１０】
【００４３】
[0056]実施例１０は、実施例９のリニアアンテナアレイを含み、各放射素子の放射円板の対のうちの一方の円板は、励振回路板によって画定される平面の上方に位置し、放射円板の対のうちの他方の円板は、励振回路板によって画定される平面の下方に位置する。
【実施例１１】
【００４４】
[0057]実施例１１は、実施例１〜１０のいずれかのリニアアンテナアレイを含み、支持マストの上方に突出し、サスペンデッド線路回路の遠位端に結合された避雷針をさらに備える。
【実施例１２】
【００４５】
[0058]実施例１２は、実施例１〜１１のいずれかのリニアアンテナアレイを含み、支持マストは直立位置で鉛直に据え付けられる。
【実施例１３】
【００４６】
[0059]実施例１３は、実施例１〜１２のいずれかのリニアアンテナアレイを含み、アンテナ素子ベイを取り囲み、ＲＦ信号を通す筒状のハウジング構造をさらに備える。
【実施例１４】
【００４７】
[0060]実施例１４は、実施例１〜１３のいずれかのリニアアンテナアレイを含み、素子ベイのそれぞれは、励振回路板に結合された第１のＲＦコネクタ、およびサスペンデッド線路回路に結合された第２のＲＦコネクタを含む。
【実施例１５】
【００４８】
[0061]実施例１５は、実施例１４のリニアアンテナアレイを含み、第１のＲＦコネクタは、ＲＦケーブルで第２のＲＦコネクタに電気的に接続される。
【実施例１６】
【００４９】
[0062]実施例１６は、実施例１〜１５のいずれかのリニアアンテナアレイを含み、アンテナアレイはＧＮＳＳ基準アンテナとして構成される。
【実施例１７】
【００５０】
[0063]実施例１７は、実施例１〜１６のいずれかのリニアアンテナアレイを含み、アンテナアレイはディファレンシャルＧＰＳシステム用に構成される。
【実施例１８】
【００５１】
[0064]実施例１８は、実施例１〜１７のいずれかのリニアアンテナアレイを含み、アンテナアレイは約１．１５ＧＨｚから約１．５８ＧＨｚまでの周波数を受信するように構成される。
【実施例１９】
【００５２】
[0065]実施例１９は、リニアアンテナアレイを製造する方法を含み、その方法は、中空支持マストを提供するステップと、ストリップ線路励振回路板、および励振回路板に電気的に接続された一組の放射素子をそれぞれが備える複数のアンテナ素子ベイを提供するステップと、複数のアンテナ素子ベイを、支持マストに沿って等間隔に配置するステップと、１つまたは複数の素子ベイを９０°の増分で支持マストの周りに回転させて、放射素子のそれぞれに対して等価励振位相を調節するステップと、素子ベイのそれぞれの励振回路板を、支持マストを貫通して延在するサスペンデッド線路回路に電気的に接続して励振供給信号を放射素子のそれぞれに供給するステップとを備える。
【実施例２０】
【００５３】
[0066]実施例２０は、実施例１９の方法を含み、アンテナアレイはディファレンシャルＧＰＳシステム用に構成され、約１．１５ＧＨｚから約１．５８ＧＨｚまでの周波数を受信するように構成される。
【００５４】
[0067]本発明は、その本質的な特性を逸脱することなく、他の特定の形態に具現化することができる。説明した実施形態は、あらゆる点で、単に例示としてみなされるべきであり、限定されるものとみなされるべきではない。したがって、本発明の範囲は、前述の説明よりもむしろ添付の特許請求の範囲によって示される。請求項と等価な意味および範囲内から生じるすべての変更は、請求項の範囲内に包含されるべきである。
【符号の説明】
【００５５】
１００  リニアアンテナアレイ
１１０  支持マスト
１２０  アンテナ素子ベイ
１２２  放射素子
１２４  放射円板
１２６  タブ
１３０  励振回路板
１４０  サスペンデッド線路回路
１４２  基部
１４４  避雷針
１４６  キャップ
１５０  ハウジング構造
２１０  ＰＣＢスタック構造
２１２  最下層
２１４  第１のグランド層
２１６  第２のグランド層
２１８  最上層
２３０  ストリップ線路励振回路レイアウト
２３２  最上層の回路レイアウト
２３４  最下層の回路レイアウト
２３６  二方向電力分配器
２４２  回路板
２４４  回路板
２４６  導電層
２５０  ノード
２５２  ねじ
２５４  スペーサ構造体
２６２  ボルト
２６４  支持板
３１０  ＲＦケーブルセット
３１２  ＲＦコネクタ
３１４  ＲＦコネクタ
３１６  ＲＦケーブル
【図１】
2015136108.tif 000004
【図２】
2015136108.tif 000005
【図３】
2015136108.tif 000006
【図４】
2015136108.tif 000007
【図５】
2015136108.tif 000008
【図６】
2015136108.tif 000009
【図７】
2015136108.tif 000010
【図８】
2015136108.tif 000011
【図９】
2015136108.tif 000012
【図１０Ａ】
2015136108.tif 000013
【図１０Ｂ】
2015136108.tif 000014
【図１１】
2015136108.tif 000015
【図１２】
2015136108.tif 000016
【図１３】
2015136108.tif 000017
【図１４】
2015136108.tif 000018
【外国語明細書】
2015136108000001.pdf